(57)【要約】【課題】  レーザー墨出し装置が落下するおそれがなく且つ水平度の調整を簡易且つ的確に行える極めて実用性に秀れたアダプター装置を提供することである。【解決手段】  壁や柱等の対象物にレーザー照射により水平線若しくは鉛直線を設定するレーザー墨出し装置１を脚体２に設けるためのアダプター装置であって、脚体２に取り付けられる基体３には、レーザー墨出し装置１の脚部４を載置する脚載置部５が設けられ、更に、該脚載置部５に載置されたレーザー墨出し装置１の脚部４を保持するホルダ部６を有し、該ホルダ部６は、前記レーザー墨出し装置１の脚部４を保持して該レーザー墨出し装置１を固定した状態で、該レーザー墨出し装置１の脚部４に夫々設けられる高さ調整機構７を操作し得るように構成されているものである。【選択図】      図３
2005337820.tif 000002
【特許請求の範囲】
【請求項１】
壁や柱等の対象物にレーザー照射により水平線若しくは鉛直線を設定するレーザー墨出し装置を脚体に設けるためのアダプター装置であって、脚体に取り付けられる基体には、レーザー墨出し装置の脚部を載置する脚載置部が設けられ、更に、該脚載置部に載置されたレーザー墨出し装置の脚部を保持するホルダ部を有し、該ホルダ部は、前記レーザー墨出し装置の脚部を保持して該レーザー墨出し装置を固定した状態で、該レーザー墨出し装置の脚部に夫々設けられる高さ調整機構を操作し得るように構成されていることを特徴とするアダプター装置。
【請求項２】
請求項１記載のアダプター装置において、ホルダ部は、前記高さ調整機構が露出する構成であることを特徴とするアダプター装置。
【請求項３】
請求項１，２いずれか１項に記載のアダプター装置において、基体には、該基体に対して回動する回動体が設けられ、ホルダ部は、回動体に設けられ、この回動体が回動することでホルダ部によりレーザー墨出し装置が非固定状態から固定状態となるように構成されていることを特徴とするアダプター装置。
【請求項４】
請求項１〜３いずれか１項に記載のアダプター装置において、脚載置部は、載置されたレーザー墨出し装置の脚部が放射方向にのみ移動可能に構成されていることを特徴とするアダプター装置。
【請求項５】
請求項１〜４いずれか１項に記載のアダプター装置において、脚載置部は、脚部が放射方向にのみ移動可能な先端開放の凹溝であることを特徴とするアダプター装置。
【請求項６】
請求項１〜５いずれか１項に記載のアダプター装置において、ホルダ部は、レーザー墨出し装置の脚部を保持する平面視略Ｃ字状の脚保持部を有し、該脚保持部には、固定状態となっている前記レーザー墨出し装置の脚部の高さ調整機構が露出する窓が設けられていること特徴とするアダプター装置。
【請求項７】
壁や柱等の対象物にレーザー照射により水平線若しくは鉛直線を設定するレーザー墨出し装置を脚体に設けるためのアダプター装置であって、脚体に取り付けられる基体には、レーザー墨出し装置の脚部を載置する脚載置部が設けられ、この脚載置部はレーザー墨出し装置の脚部に夫々設けられる高さ調整機構を操作して該脚部を伸縮させた際、放射方向へのみ該脚部が移動し得る形状に設定されていることを特徴とするアダプター装置。
【発明の詳細な説明】
【技術分野】
【０００１】
本発明は、レーザー墨出し装置を例えば三脚に取り付ける際に使用されるアダプター装置に関するものである。
【背景技術】
【０００２】
最近、レーザー照射により柱や壁等に簡易に水平線若しくは鉛直線の設定が行えるレーザー墨出し装置が好評である。
【０００３】
このレーザー墨出し装置は、略水平な場所に設置し、レーザー墨出し装置に内蔵される気泡管を見ながら該レーザー墨出し装置の三本の脚部に夫々設けられる高さ調整機構を操作して水平度を調整した後に使用する。
【０００４】
ところで、例えばレーザー墨出し装置の設置場所に大きな凹凸がある等して脚部を接地できない場合、一般的には、レーザー墨出し装置に設けられる三脚取付用のネジ穴を用いて該レーザー墨出し装置を三脚に取り付け、該三脚の伸縮脚の長さを調整することで水平度を調整しているが、三脚の伸縮脚の調整機構は微調整を行える構成ではなく、正確に水平度を調整するにはレーザー墨出し装置の脚部の高さ調整機構により微調整をすることになる。
【０００５】
そこで、例えば図１及び図２に図示したような、三脚Ａとレーザー墨出し装置Ｂとの間に設けられ、レーザー墨出し装置Ｂを水平度の微調整が行えるアダプター装置が提案されている。
【０００６】
具体的には、図１に図示したアダプター装置（以下、従来例１という。）は、三脚Ａに取り付けられる平面視略三角形状の基体21に、レーザー墨出し装置の脚部Ｃが嵌合する嵌合孔22が各頂点部に設けられたものであり、図２に図示したアダプター装置（以下、従来例２という。）は、レーザー墨出し装置Ｂの三脚取付ネジ穴に取り付けられるネジ部23を有し、三つの調整ネジ24を夫々回動操作することで高さを調整して水平度を微調整できるものである。
【発明の開示】
【発明が解決しようとする課題】
【０００７】
しかしながら、従来例１は、レーザー墨出し装置Ｂの脚部Ｃを単に嵌合孔22に嵌合せしめて載置するもので、レーザー墨出し装置Ｂがアダプター装置に固定されていないため、安定性が悪く落下するおそれがある。特に、レーザー墨出し装置Ｂは高価であり、また、落下等により衝撃が加わると正確に水平方向及び鉛直方向にレーザーを照射できなくなることから、使用者にとってこの問題は重要である。
【０００８】
また、従来例２は、レーザー墨出し装置Ｂを、該レーザー墨出し装置Ｂの三脚取付ネジ穴を用いて取り付ける構成であるから、レーザー墨出し装置Ｂをアダプター装置に良好に固定することができ、上述の落下の問題は解決できるが、調整ネジ24がレーザー墨出し装置Ｂの脚部Ｃの内側に存するために、該脚部Ｃが邪魔となり調整ネジ24を指で回動操作しにくく、水平度の微調整が厄介で操作性に劣るという欠点がある。
【０００９】
本発明は、上述の問題点を解決するもので、簡易な構成でレーザー墨出し装置の脚部を基体に固定することができると共に、脚部に設けられた高さ調整機構を良好に操作でき、よって、水平度を簡易に調整することができ、レーザー墨出し装置が落下するおそれがなく且つ水平度の調整が的確に行える極めて実用性に秀れたアダプター装置を提供するものである。
【課題を解決するための手段】
【００１０】
添付図面を参照して本発明の要旨を説明する。
【００１１】
壁や柱等の対象物にレーザー照射により水平線若しくは鉛直線を設定するレーザー墨出し装置１を脚体２に設けるためのアダプター装置であって、脚体２に取り付けられる基体３には、レーザー墨出し装置１の脚部４を載置する脚載置部５が設けられ、更に、該脚載置部５に載置されたレーザー墨出し装置１の脚部４を保持するホルダ部６を有し、該ホルダ部６は、前記レーザー墨出し装置１の脚部４を保持して該レーザー墨出し装置１を固定した状態で、該レーザー墨出し装置１の脚部４に夫々設けられる高さ調整機構７を操作し得るように構成されていることを特徴とするアダプター装置に係るものである。
【００１２】
また、請求項１記載のアダプター装置において、ホルダ部６は、前記高さ調整機構７が露出する構成であることを特徴とするアダプター装置に係るものである。
【００１３】
また、請求項１，２いずれか１項に記載のアダプター装置において、基体３には、該基体３に対して回動する回動体14が設けられ、ホルダ部６は、回動体14に設けられ、この回動体14が回動することでホルダ部６によりレーザー墨出し装置１が非固定状態から固定状態となるように構成されていることを特徴とするアダプター装置に係るものである。
【００１４】
また、請求項１〜３いずれか１項に記載のアダプター装置において、脚載置部５は、載置されたレーザー墨出し装置１の脚部４が放射方向にのみ移動可能に構成されていることを特徴とするアダプター装置に係るものである。
【００１５】
また、請求項１〜４いずれか１項に記載のアダプター装置において、脚載置部５は、脚部４が放射方向にのみ移動可能な先端開放の凹溝であることを特徴とするアダプター装置に係るものである。
【００１６】
また、請求項１〜５いずれか１項に記載のアダプター装置において、ホルダ部６は、レーザー墨出し装置１の脚部４を保持する平面視略Ｃ字状の脚保持部８を有し、該脚保持部８には、固定状態となっている前記レーザー墨出し装置１の脚部４の高さ調整機構７が露出する窓８ａが設けられていること特徴とするアダプター装置に係るものである。
【００１７】
また、壁や柱等の対象物にレーザー照射により水平線若しくは鉛直線を設定するレーザー墨出し装置１を脚体２に設けるためのアダプター装置であって、脚体２に取り付けられる基体３には、レーザー墨出し装置１の脚部４を載置する脚載置部５が設けられ、この脚載置部５はレーザー墨出し装置１の脚部４に夫々設けられる高さ調整機構７を操作して該脚部４を伸縮させた際、放射方向へのみ該脚部４が移動し得る形状に設定されていることを特徴とするアダプター装置に係るものである。
【発明の効果】
【００１８】
本発明は上述のように構成したから、レーザー墨出し装置が落下するおそれがなく且つ水平度の調整を簡易且つ的確に行える極めて実用性に秀れたアダプター装置となる。
【発明を実施するための最良の形態】
【００１９】
好適と考える本発明の実施形態を、図面に基づいて本発明の作用を示して簡単に説明する。
【００２０】
基体３を脚体２に取り付けて、この基体３の脚載置部５にレーザー墨出し装置１の脚部４を載置し、ホルダ部６により該レーザー墨出し装置１の脚部４を固定した状態で、該脚部４の高さ調整機構７を操作して水平度を調整することができるから、レーザー墨出し装置１は基体３に固定されて落下のおそれがなく、また、水平度の調整を脚部４の高さ調整機構７により良好に行えるから、安定性及び操作性に秀れたものとなる。
【００２１】
よって、本発明は、落下のおそれがなく且つ水平度の調整を簡易且つ的確に行える極めて実用性に秀れたアダプター装置となる。
【実施例】
【００２２】
本発明の具体的な実施例を図３〜６に基づいて説明する。
【００２３】
本実施例は、壁や柱等の対象物にレーザー照射により水平線若しくは鉛直線を設定するレーザー墨出し装置１を三脚２に設けるためのアダプター装置であって、三脚２に取り付けられる基体３には、レーザー墨出し装置１の脚部４を載置する脚載置部５が設けられ、更に、該脚載置部５に載置されたレーザー墨出し装置１の脚部４を保持するホルダ部６を有し、該ホルダ部６は、前記レーザー墨出し装置１の脚部４を保持して該レーザー墨出し装置１を固定した状態で、該レーザー墨出し装置１の脚部４に夫々設けられる高さ調整機構７を操作し得るように構成されているものである。
【００２４】
各部を具体的に説明する。
【００２５】
基体３は、各角部をアール形状とした平面視略三角形状の合成樹脂製の板状体で、各角部には脚載置部５が設けられている。
【００２６】
この脚載置部５は、載置されたレーザー墨出し装置１の脚部４が、放射方向（内外方）へのみ移動可能な形状に構成されている。
【００２７】
具体的には、脚載置部５は、先端が開放された放射方向（内外方）に延設される凹溝であり（基端は閉塞されている）、該凹溝にレーザー墨出し装置１の脚部４の先端部が載置されるように構成されている。この凹溝は断面視略Ｕ字状で、両側斜面は前記脚部４の先端テーパー部と略一致する形状に設定されている。
【００２８】
従って、レーザー墨出し装置１の脚部４は、前記凹溝により放射方向のみに移動し、その余の方向、例えば基体３の周方向への移動が阻止される。従って、脚部４の高さを調整する際に生じる脚部４の基体３の内外方向への微動のみが許容されることで、該脚部４の移動は一次元で行われ、それだけ高さの微調整を容易に行えることになる。この微調整は、二本の脚部４の高さ調整機構７を同時に操作してある程度高さを調整した後、残る一本の脚部４の高さ調整機構７を操作することで行われる。
【００２９】
図１に図示したような従来例１においては、嵌合孔22に脚部Ｃが単に嵌合しているだけであるため、脚部Ｃを伸縮する際に生じる前記前後方向の移動が許容されず、円錐状の脚部Ｃの円錐面が嵌合孔22の内縁と当接しながら移動し、前後方向に加えて上下方向及び左右方向にも移動してしまい（即ち、脚部Ｃの移動が三次元で行われ）、上述のような微調整を行う際に、一の脚部Ｃの高さ調整機構を操作することで、他の脚部Ｃを様々な方向へ微動させてしまい、非常に手間がかかり厄介となる。
【００３０】
この点、本実施例においては、脚部４を伸縮する際に生じる脚部４の前記前後方向への微動が許容され、他の方向への微動が阻止されるから、上述の微調整も、他の脚部４を微動させることなく（させたとしても前後方向にのみ微動する）、それだけ容易に行えることになる。
【００３１】
尚、凹溝の両側斜面と脚部４の先端テーパー部及び凹溝の平坦な底と脚部４の先端により脚部４の微動は円滑に行われる。
【００３２】
本実施例は、三本の脚部４を有するレーザー墨出し装置１を載置するために三つの脚載置部５が設けられている。
【００３３】
レーザー墨出し装置１は、ジンバル機構が内蔵され、水平及び垂直にレーザーを照射できる一般的な構成であり、各脚部４には、回動操作により該脚部４を伸縮させて高さを微調整し得る公知の高さ調整機構７が設けられている。
【００３４】
尚、脚載置部５の数はレーザー墨出し装置１の脚部４の本数に合わせて４本以上としても良い。また、基体３の形状も、円盤状や平面視略四角形状等、他の形状としても良い。
【００３５】
この基体３には、平面視略三角形状の合成樹脂製の回動体14が回動自在に設けられ、この回動体14の各角部位置にはホルダ部６が設けられている。
【００３６】
具体的には、図６に図示したように基体３の中心部には、下面に開口部15を有する凹部16が設けられ、この凹部16には前記開口部15と合致する状態で、三脚の上部に設けられる雄ネジ部（図示省略）と螺合する雌ネジ部９ａが内面に形成された筒状の金属製のネジ孔形成部材９が設けられており、更に、基体３には中央孔14ａを有する回動体14が該中央孔14ａと前記ネジ孔形成部材９及び開口部15とが合致する状態で重合され、この回動体14には更に、抜け止め部材10が重合されている。また、この抜け止め部材10は中心側の垂下部10ａが前記ネジ孔形成部材９上に当接し、外周側の垂下部10ｂが基体３上に当接し、この外周側の垂下部10ｂの外側の縁部10ｃが回動体14に当接している。
【００３７】
従って、基体３に対して回動体14は回動し、よって、ホルダ部６も基体３に対して回動する。尚、図中符号11は、抜け止め部材10とネジ孔形成部材９とを止着するネジである。
【００３８】
ホルダ部６は、回動体14の各角部位置（１２０°間隔）に、レーザー墨出し装置１の脚部４を保持する平面視略Ｃ字状で筒状の脚保持部８を有し、該脚保持部８には、該脚保持部８に嵌合され固定状態となっている前記レーザー墨出し装置１の脚部４の高さ調整機構７を露出せしめる窓８ａが設けられている。尚、図中符号13は、脚保持部８を補強するための補強リブ、12は前記固定状態と非固定状態とを区別するためのインジケータである。
【００３９】
従って、脚保持部８を図５中Ｘ方向に回動せしめて脚載置部５に位置しているレーザー墨出し装置１の脚部４に被嵌すると、該脚部４が保持されレーザー墨出し装置１は固定状態となり、また、脚保持部８を図５中Ｙ方向に回動せしめて脚載置部５に位置しているレーザー墨出し装置１の脚部４から離脱させると、レーザー墨出し装置１は非固定状態となる。
【００４０】
従って、回動体14（ホルダ部６）の回動操作により簡易に前記各状態を切り替えでき、よって、レーザー墨出し装置１の着脱を容易に行えることになる。
【００４１】
また、前記窓８ａから該脚部４の高さ調整機構７が露出するため、上記固定状態においても、該高さ調整機構７の操作を容易に行うことができる。
【００４２】
本実施例においては、基体３及び回動体14は夫々合成樹脂製としているが、金属等の他の材質から成るものを採用しても良い。
【００４３】
本実施例は、上述のように構成したから、基体３に設けたネジ孔形成部材９に形成された雌ネジ部９ａを三脚２の上部に設けられた雄ネジ部に螺着して、この基体３の脚載置部５にレーザー墨出し装置１の脚部４を載置し、脚載置部８を回動して該レーザー墨出し装置１の脚部４を固定した状態で、該脚部４の高さ調整機構７を操作して水平度を調整することができるから、レーザー墨出し装置１は基体３に固定されて落下のおそれがなく、また、水平度の調整を脚部４の高さ調整機構７により良好に行えるから、安定性及び操作性に秀れたものとなる。
【００４４】
従って、レーザー墨出し装置１の水平度を、凹凸がある現場等でも精度良く設定することができ、レーザー墨出し装置１を用いての墨出しを極めて良好に行えることになる。
【００４５】
また、回動操作により、固定状態から非固定状態若しくは非固定状態から固定状態への切り替えも極めて容易に行うことができ、作業性に秀れたものとなる。
【００４６】
また、ネジ孔形成部材９及びネジ11以外の部材は合成樹脂製であるから、形成が容易で極めてコスト安に製造でき、量産性にも秀れたものとなる。
【００４７】
従って、本実施例は、落下のおそれがなく且つ水平度の調整を簡易且つ的確に行える極めて実用性に秀れた画期的なアダプター装置となる。
【図面の簡単な説明】
【００４８】
【図１】従来例１の概略説明斜視図である。
【図２】従来例２の概略説明斜視図である。
【図３】本実施例の使用状態を示す概略説明斜視図である。
【図４】本実施例の説明斜視図である。
【図５】本実施例の説明平面図である。
【図６】本実施例の説明断面図である。
【符号の説明】
【００４９】
１  レーザー墨出し装置
２  脚体
３  基体
４  脚部
５  脚載置部
６  ホルダ部
７  高さ調整機構
８  脚保持部
８ａ  窓
14  回動体
【図１】
2005337820.tif 000003
【図２】
2005337820.tif 000004
【図３】
2005337820.tif 000005
【図４】
2005337820.tif 000006
【図５】
2005337820.tif 000007
【図６】
2005337820.tif 000008